(57)【特許請求の範囲】
【請求項１】
第１コネクタ側に設けられる少なくとも１枚の第１導電板と、第１導電板の表裏面に積層される第１絶縁層と、個々の第１絶縁層の表面に配列される複数本の第１信号線と、第２コネクタ側に設けられて、第１コネクタおよび第２コネクタの結合時に第１導電板と交互に配置される複数枚の第２導電板と、個々の第１絶縁層に向き合わせられる第２導電板の表面に積層される第２絶縁層と、個々の第２絶縁層の表面に配列されて、第１コネクタおよび第２コネクタの結合時に第１および第２導電板の間で第１信号線に個別に接続される複数本の第２信号線とを備えることを特徴とする信号伝送路用コネクタ。
【請求項２】
請求項１に記載の信号伝送路用コネクタにおいて、前記信号線同士の間で前記第１および第２絶縁層の表面に配置される導電線をさらに備えることを特徴とする信号伝送路用コネクタ。
【請求項３】
請求項１または２に記載の信号伝送路用コネクタにおいて、前記信号線同士の間で前記第１および第２導電板を相互に連結する導電壁をさらに備えることを特徴とする信号伝送路用コネクタ。
【請求項４】
請求項１に記載の信号伝送路用コネクタにおいて、各第１信号線の先端に形成されて、前記第１信号線の延伸方向に直交する配列方向に対して所定の傾斜角で交差する基準線に沿って配置される第１接続パッドと、第１コネクタおよび第２コネクタの結合時に第１信号線の延長線上で延びる各第２信号線の先端に形成されて、前記基準線に沿って配置される第２接続パッドとをさらに備えることを特徴とする信号伝送路用コネクタ。
【請求項５】
請求項１に記載の信号伝送路用コネクタにおいて、各第１信号線の先端に形成されて、前記第１信号線の延伸方向に直交する配列方向に対して所定の傾斜角で交差する基準線に沿って配置される第１接続パッドと、第１コネクタおよび第２コネクタの結合時に第１信号線を横切って前記基準線に到達する各第２信号線の先端に形成されて、前記基準線に沿って配置される第２接続パッドとをさらに備えることを特徴とする信号伝送路用コネクタ。
【請求項６】
請求項１に記載の信号伝送路用コネクタにおいて、前記第１導電板の表面と第１絶縁層との間に配置され、前記第１コネクタおよび第２コネクタの結合時に前記第２信号線に向けて前記第１信号線を押し付ける付勢力を生成する板ばねをさらに備えることを特徴とする信号伝送路用コネクタ。
【請求項７】
請求項１に記載の信号伝送路用コネクタにおいて、前記第１コネクタおよび第２コネクタの結合時に、互い違いに重ね合わされる前記第１および第２導電板を挟み込む共通の付勢手段をさらに備えることを特徴とする信号伝送路用コネクタ。
【請求項８】
第２コネクタに結合される際に、第２コネクタ内の１対の導電板同士の間に配置される少なくとも１枚の導電板と、この導電板の表裏面に固着されて、第２コネクタの導電板の表面に固着されるフレキシブル絶縁膜に向き合わせられる１対のフレキシブル絶縁膜と、個々のフレキシブル絶縁膜の表面に配列されて、第２コネクタに結合される際に、第２コネクタのフレキシブル絶縁膜の表面に配列される信号線に個別に接続される複数本の信号線とを備えることを特徴とする信号伝送路用第１コネクタ。
【請求項９】
ハウジング内で相互に間隔をおいて配置されて、第１コネクタに結合される際に、第１コネクタの１枚の導電板と交互に配置される少なくとも２枚の導電板と、互いに向き合う導電板の表面に固着されて、第１コネクタに結合される際に、第１コネクタの導電板の表裏面に固着されるフレキシブル絶縁板に向き合わせられる１対のフレキシブル絶縁膜と、これらフレキシブル絶縁膜の表面に配列されて、第１コネクタに結合される際に、第１コネクタのフレキシブル絶縁膜の表面に配列される信号線に個別に接続される複数本の信号線とを備えることを特徴とする信号伝送路用第２コネクタ。
【発明の詳細な説明】
【０００１】
【発明の属する技術分野】
本発明は、雌雄コネクタの結合を通じて１対の信号線同士を接続させる信号伝送路用コネクタに関する。
【０００２】
【従来の技術】
例えばスーパーコンピュータやグローバルサーバ、ＵＮＩＸ系オフィスコンピュータ（いわゆるオフコン）といったコンピュータシステムでは、ＣＰＵ（中央演算処理装置）ボードと他のボード（制御ボードやメモリボード）との間で信号がやり取りされる。こうした信号のやり取りを実現するには、ＣＰＵボードと他のボードとの間に信号伝送路が確立されなければならない。信号伝送路の構築には広く抜き差しコネクタが使用されている。
【０００３】
一般に、抜き差しコネクタにはピンソケット構造が採用される。このピンソケット構造は、雄コネクタに設けられる導電ピンと、雌コネクタに設けられる導電ソケットとを備える。雌コネクタに雄コネクタが差し込まれると、導電ピンは導電ソケットに受け止められる。このとき、導電ソケットは、それ自身の弾性力を通じて導電ピンを挟み込む。この挟み込みの結果、導電ソケットと導電ピンとの間には確実に電気接続が確立される。
【０００４】
【発明が解決しようとする課題】
ＣＰＵの動作周波数が高速化されるにつれ、信号伝送路における伝送速度すなわち伝送周波数は高速化される傾向にある。その結果、隣接する信号線同士の間でノイズが伝わりやすくなっている。今後、さらに伝送速度の高速化（例えば数ＧＨｚ）が要求されるようになれば、こうしたノイズは確実に低減されていかなければならない。
【０００５】
加えて、信号伝送路では信号線の密度が一層高められることが要求されてくると予想される。しかしながら、前述のピンソケット構造では、これ以上導電ソケットを小型化することは困難になりつつある。導電ソケットが小型化されると、導電ピンに対して十分な押し付け力を発揮する弾性力を導電ソケットに与えることができなくなるからである。導電ソケットに十分な弾性力が付与されなければ、例えば導電ソケットと導電ピンとの間に接触不良が引き起こされることが懸念される。
【０００６】
本発明は、上記実状に鑑みてなされたもので、伝送速度の高速化や信号線の高密度化に簡単に対応していくことが可能な信号伝送路用コネクタを提供することを目的とする。
【０００７】
【課題を解決するための手段】
上記目的を達成するために、第１発明によれば、相互に間隔をおいて第１コネクタ側に設けられる複数枚の第１導電板と、第２コネクタ側に設けられて、第１コネクタおよび第２コネクタの結合時に第１導電板と交互に配置される複数枚の第２導電板と、第１および第２導電板の間で配列される複数本の信号線とを備えることを特徴とする信号伝送路用コネクタが提供される。
【０００８】
かかる信号伝送路用コネクタによれば、第１および第２導電板の働きによってストリップ線路が構成される。第１および第２導電板がＧＮＤ（接地）板すなわちシールド板として機能することから、第１および第２導電板の間で相互に隣接する信号線同士の間ではノイズの乗り移りが極力阻止されることができる。したがって、信号線同士の間隔を狭めて信号線の高密度化を実現することが可能となる。しかも、第１導電板および第２導電板を交互に配置させることによって積層構造を実現することができ、信号線の一層の高密度化に寄与することができる。
【０００９】
こうした信号伝送路用コネクタでは、第１および第２導電板の間で隣接する信号線同士の間に導電線が配置されてもよい。こうした配置によれば、第１および第２導電板および導電線によって信号線が囲まれることから、擬似的に同軸構造が実現されることができる。その結果、一層確実に、隣接する信号線同士でノイズの乗り移りは阻止されることができる。
【００１０】
こうした導電線に代えて、信号伝送路用コネクタでは、第１および第２導電板の間で隣接する信号線同士の間に、第１および第２導電板を相互に連結する導電壁が設けられてもよい。こうした導電壁の働きによれば、信号線は、第１および第２導電板および導電壁によって完全に囲まれ、完全な同軸構造が実現されることができる。その結果、さらに確実に、隣接する信号線同士でノイズの乗り移りは阻止されることができる。
【００１１】
また、第２発明によれば、第１コネクタ側に設けられる少なくとも１枚の第１導電板と、第１導電板の表面に固着される第１フレキシブル絶縁膜と、第１フレキシブル絶縁膜の表面に配列される複数本の第１信号線と、第２コネクタ側に設けられる少なくとも１枚の第２導電板と、第２導電板の表面に固着され、第１コネクタおよび第２コネクタの結合時に第１および第２導電板の間で第１フレキシブル絶縁膜に向き合う第２フレキシブル絶縁膜と、第２フレキシブル絶縁膜の表面に配列されて、第１コネクタおよび第２コネクタの結合時に第１および第２フレキシブル絶縁膜の間で第１信号線に個別に接続される複数本の第２信号線とを備えることを特徴とする信号伝送路用コネクタが提供される。
【００１２】
かかる信号伝送路用コネクタによれば、第１フレキシブル絶縁膜および第１信号線で構成されるフレキシブルプリント板や、第２フレキシブル絶縁膜および第２信号線で構成されるフレキシブルプリント板を利用してストリップ線路を構築することが可能となる。したがって、第１発明と同様に、第１および第２導電板の間で相互に隣接する第１信号線同士や第２信号線同士の間ではノイズの乗り移りが極力阻止されることができる。加えて、この場合でも、第１導電板および第２導電板を交互に配置させることによって積層構造を実現することができ、信号線の一層の高密度化に寄与することができる。しかも、こうしてフレキシブルプリント板同士が相互に接続されれば、接触抵抗値といった電気特性の変化を極力抑制することが可能となる。
【００１３】
こうした信号伝送路用コネクタは、各第１信号線の先端に形成されて、前記第１信号線の配列方向に対して所定の傾斜角で交差する基準線に沿って配置される第１接続パッドと、第１コネクタおよび第２コネクタの結合時に第１信号線の延長線上で延びる各第２信号線の先端に形成されて、前記基準線に沿って配置される第２接続パッドとをさらに備えてもよい。こうした第１および第２接続パッドの配置によれば、第１および第２信号線の延伸方向に沿って第１コネクタおよび第２コネクタを相互に抜き差しすることができるだけでなく、そういった延伸方向に直交する配列方向に沿って第１コネクタおよび第２コネクタを相互に抜き差しすることが可能となる。
【００１４】
さらにまた、信号伝送路用コネクタは、各第１信号線の先端に形成されて、前記第１信号線の配列方向に対して所定の傾斜角で交差する基準線に沿って配置される第１接続パッドと、第１コネクタおよび第２コネクタの結合時に第１信号線を横切って前記基準線に到達する各第２信号線の先端に形成されて、前記基準線に沿って配置される第２接続パッドとを備えてもよい。こうした第１および第２接続パッドの配置によれば、第１コネクタおよび第２コネクタの結合時に第１および第２信号線を所望の角度で交差させる場合でも、相互に接続される第１および第２信号線の組み合わせごとに信号伝送路の長さを簡単に統一することが可能となる。その結果、いわゆるスキューといった信号伝送路間の時間ずれを抑制することに十分に寄与することができる。
【００１５】
第１信号線と第２信号線との間で十分な接圧を確保するにあたって、信号伝送路用コネクタは、前記第１導電板の表面と第１フレキシブル絶縁膜との間に配置され、前記第１コネクタおよび第２コネクタの結合時に前記第２信号線に向けて前記第１信号線を押し付ける付勢力を生成する板ばねをさらに備えればよい。こうした板ばねによれば、第１および第２信号線の幅や膜厚が増減しても常に十分な接圧が確保されることができる。したがって、第１および第２信号線の間で十分な接圧を確保しつつ第１および第２信号線の接触抵抗値といった電気特性を簡単に変更することが可能となる。
【００１６】
信号伝送路用コネクタは、こうした板ばねに代えて、第１コネクタおよび第２コネクタの結合時に、互い違いに重ね合わされる前記第１および第２導電板を挟み込む共通の付勢手段を備えてもよい。こうした共通の付勢手段によれば、前述の板ばねと同様に、第１および第２信号線の間で十分な接圧を確保しつつ第１および第２信号線の接触抵抗値といった電気特性を簡単に変更することが可能となる。しかも、第１および第２導電板の増加や第１および第２信号線の増加などに拘わらず単一の付勢手段が設けられればよく、信号伝送路用コネクタの構造は簡素化されることができる。
【００１７】
以上のような信号伝送路用コネクタには、例えば、少なくとも１枚の導電板と、導電板の表裏面に固着される１対のフレキシブル絶縁膜と、フレキシブル絶縁膜の各表面に配列される複数本の信号線とを備える第１コネクタ（例えば雄コネクタ）や、ハウジング内で相互に間隔をおいて配置される少なくとも２枚の導電板と、互いに向き合う導電板の表面に固着される１対のフレキシブル絶縁膜と、フレキシブル絶縁膜の各表面に配列される複数本の信号線とを備える第２コネクタ（例えば雌コネクタ）が採用されればよい。
【００１８】
【発明の実施の形態】
以下、添付図面を参照しつつ本発明の一実施形態を説明する。
【００１９】
図１に示されるように、スーパーコンピュータやグローバルサーバ、ＵＮＩＸ系オフィスコンピュータ（いわゆるオフコン）といったコンピュータシステムでは、ＣＰＵ（中央演算処理装置）が実装されたＣＰＵボード１０と、他の回路ボード（例えば制御ボードやメモリボード）１１との間に信号伝送路１２が形成される。この信号伝送路１２は、例えばＣＰＵボード１０に実装される少なくとも１枚（好ましくは複数枚の）第１フレキシブルプリント板１３ａ〜１３ｄと、他の回路ボード１１に実装される少なくとも１枚（好ましくは複数枚）の第２フレキシブルプリント板１４ａ〜１４ｄとの組み合わせによって構成される。第１および第２フレキシブルプリント板１３ａ〜１３ｄ、１４ａ〜１４ｄは抜き差しコネクタ１５を通じて相互に接続される。その他、第１および第２フレキシブルプリント板１３ａ〜１３ｄ、１４ａ〜１４ｄは、例えば図２に示されるように、同じくフレキシブルプリント板で構成されるケーブル１６ａ〜１６ｄを介して相互に接続されてもよい。このとき、第１および第２フレキシブルプリント板１３ａ〜１３ｄ、１４ａ〜１４ｄとケーブル１６ａ〜１６ｄとは同様に抜き差しコネクタ１５を通じて相互に接続されればよい。
【００２０】
抜き差しコネクタ１５は、抜き差し可能に相互に結合される雄コネクタ２１および雌コネクタ２２によって構成される。雄コネクタ２１は、図３から明らかなように、合成樹脂製ハウジング２３に固定される少なくとも１枚（好ましくは複数枚）の第１導電板２４ａ、２４ｂを備える。雌コネクタ２２は、合成樹脂製ハウジング２５内に相互に間隔をおいて配置される少なくとも２枚の第２導電板２６ａ、２６ｂ、２６ｃを備える。雌コネクタ２２のハウジング２５に対して雄コネクタ２１のハウジング２３が差し込まれると、第２導電板２６ａ、２６ｂ、２６ｃ同士の間に第１導電板２４ａ、２４ｂは進入し、第１導電板２４ａ、２４ｂと第２導電板２６ａ、２６ｂ、２６ｃとは交互に配置されることとなる。
【００２１】
雄コネクタ２１では、第１導電板２４ａの２つの表面に第１フレキシブルプリント板１３ａ、１３ｂのフレキシブル絶縁膜２７ａ、２７ｂが固着され、第１導電板２４ｂの２つの表面には第１フレキシブルプリント板１３ｃ、１３ｄのフレキシブル絶縁膜２７ｃ、２７ｄが固着される。図４を併せて参照すると明らかなように、各フレキシブル絶縁膜２７ａ〜２７ｄの表面には複数本の第１信号線２８ａ〜２８ｄが配列される。第１信号線２８ａ〜２８ｄは、例えば均等な間隔を維持しながら互いに平行に延びる。
【００２２】
再び図３から明らかなように、雌コネクタ２２では、互いに向き合う第２導電板２６ａ、２６ｂの２つの表面に第２フレキシブルプリント板１４ａ、１４ｂのフレキシブル絶縁膜２９ａ、２９ｂは固着される。図４を併せて参照すると明らかなように、フレキシブル絶縁膜２９ａ、２９ｂの表面には複数本の第２信号線３０ａ、３０ｂが配列される。雄コネクタ２１および雌コネクタ２２が相互に結合されると、第１導電板２４ａは第２導電板２６ａ、２６ｂ同士の間に受け入れられ、第１フレキシブルプリント板１３ａのフレキシブル絶縁膜２７ａと第２フレキシブルプリント板１４ａのフレキシブル絶縁膜２９ａとは向き合い、第１フレキシブルプリント板１３ｂのフレキシブル絶縁膜２７ｂと第２フレキシブルプリント板１４ｂのフレキシブル絶縁膜２９ｂとは向き合う。互いに向き合うフレキシブル絶縁膜２７ａ、２９ａ同士やフレキシブル絶縁膜２７ｂ、２９ｂ同士の間では、第１信号線２８ａ、２８ｂに個別に第２信号線３０ａ、３０ｂが接続されることとなる。
【００２３】
同様に、互いに向き合う第２導電板２６ｂ、２６ｃの２つの表面に第２フレキシブルプリント板１４ｃ、１４ｄのフレキシブル絶縁膜２９ｃ、２９ｄは固着される。図４を併せて参照すると明らかなように、フレキシブル絶縁膜２９ｃ、２９ｄの表面には複数本の第２信号線３０ｃ、３０ｄが配列される。雄コネクタ２１および雌コネクタ２２が相互に結合されると、第１導電板２４ｂは第２導電板２６ｂ、２６ｃ同士の間に受け入れられ、第１フレキシブルプリント板１３ｃのフレキシブル絶縁膜２７ｃと第２フレキシブルプリント板１４ｃのフレキシブル絶縁膜２９ｃとは向き合い、第１フレキシブルプリント板１３ｄのフレキシブル絶縁膜２７ｄと第２フレキシブルプリント板１４ｄのフレキシブル絶縁膜２９ｄとは向き合う。互いに向き合うフレキシブル絶縁膜２７ｃ、２９ｃ同士やフレキシブル絶縁膜２７ｄ、２９ｄ同士の間では、第１信号線２８ｃ、２８ｄに個別に第２信号線３０ｃ、３０ｄが接続されることとなる。
【００２４】
図４から明らかなように、こうした抜き差しコネクタ１５では、相互に接続される第１および第２信号線２８ａ〜２８ｄ、３０ａ〜３０ｄは１対の導電板２６ａ、２４ａ、２６ｂ、２４ｂ、２６ｃの間に挟み込まれ、いわゆるストリップ線路が形成される。その結果、第１および第２信号線２８ａ〜２８ｄ、３０ａ〜３０ｄを通過する信号のノイズは、第１および第２導電板２４ａ、２４ｂ、２６ａ〜２６ｃすなわちＧＮＤ（接地）板に吸収され、隣接する信号線同士でノイズの乗り移りが回避される。
【００２５】
このとき、抜き差しコネクタ１５では、例えば図５に示されるように、各フレキシブル絶縁膜２７ａ〜２７ｄ、２９ａ〜２９ｂの表面で第１信号線２８ａ〜２８ｄや第２信号線３０ａ〜３０ｄの間に導電線３２が配置されてもよい。こうした配置によれば、第１および第２信号線２８ａ〜２８ｄ、３０ａ〜３０ｄは、第１および第２導電板２４ａ、２４ｂ、２６ａ〜２６ｃおよび導電線３２によって囲まれ、擬似的に同軸構造が実現されることができ、その結果、一層確実に、隣接する信号線同士でノイズの乗り移りは阻止されることができる。
【００２６】
その他、抜き差しコネクタ１５では、例えば図６に示されるように、第１信号線２８ａ〜２８ｄや第２信号線３０ａ〜３０ｄの間に、第１および第２導電板２４ａ、２４ｂ、２６ａ〜２６ｃから立ち上がる導電壁３３が配置されてもよい。こうした配置によれば、第１および第２信号線２８ａ〜２８ｄ、３０ａ〜３０ｄは、第１および第２導電板２４ａ、２４ｂ、２６ａ〜２６ｃおよび導電壁３３によって囲まれ、完全な同軸構造が実現されることができ、その結果、さらに確実に、隣接する信号線同士でノイズの乗り移りは阻止されることができる。導電壁３３はフレキシブル絶縁膜２７ａ〜２７ｄ、２９ａ〜２９ｄに形成される例えばビアなどによって形成されてもよい。
【００２７】
以上のような抜き差しコネクタ１５では、第１信号線２８ａ〜２８ｄおよび第２信号線３０ａ〜３０ｄ同士を確実に接触させるにあたって、例えば図７に示されるように、各第１信号線２８ａ〜２８ｄの先端に取り付けられる導電性板ばね３５が用いられてもよい。板ばね３５は例えば半田や導電性接着剤などによって第１信号線２８ａ〜２８ｄに固着されればよい。こうした板ばね３５の働きによれば、図８から明らかなように、第１信号線２８ａ〜２８ｄおよび第２信号線３０ａ〜３０ｄの間で十分な接圧が確保されることができ、その結果、接触不良が引き起こされることは極力回避されることができる。
【００２８】
こうした板ばね３５は、例えば図９に示されるように、各第１信号線２８ａ〜２８ｄの先端に一体に形成される導電性バンプ（突起）３６によって置き換えられてもよい。こうしたバンプ３６の働きによれば、板ばね３５の場合と同様に、第１信号線２８ａ〜２８ｄおよび第２信号線３０ａ〜３０ｄの間で十分な接圧が確保されることができ、その結果、接触不良が引き起こされることは極力回避されることができる。なお、こういった板ばね３５やバンプ３６は、必ずしも第１信号線２８ａ〜２８ｄに形成される必要はなく、第２信号線３０ａ〜３０ｄの先端に形成されてもよい。板ばね３５やバンプ３６は、少なくとも第１および第２信号線２８ａ〜２８ｄ、３０ａ〜３０ｄのいずれか一方に形成されればよい。
【００２９】
その他、第１信号線２８ａ〜２８ｄおよび第２信号線３０ａ〜３０ｄ同士を確実に接触させるにあたっては、例えば図１０に示されるように、互い違いに重ね合わされる第１および第２導電板２４ａ、２４ｂ、２６ａ〜２６ｃを挟み込む共通の板ばね３７が用いられてもよい。板ばね３７は、例えば雄コネクタ２１や雌コネクタ２２のハウジング２３、２５に固定されればよい。
【００３０】
また、こうした板ばね３７に代えて、例えば図１１に示されるように、雄コネクタ２１や雌コネクタ２２の基準面３８すなわちハウジング２３、２５に、互い違いに重ね合わされる第１および第２導電板２４ａ、２４ｂ、２６ａ〜２６ｃを押し付ける加圧機構３９が用いられてもよい。この場合には、第１および第２導電板２４ａ、２４ｂ、２６ａ〜２６ｃは基準面３８と加圧機構３９との間に挟み込まれる。加圧機構３９は、例えば、ハウジング２３に形成されるばね受け穴４１と、このばね受け穴４１に受け入れられる押圧部材４２とを備えればよい。このとき、ばね受け穴４１と押圧部材４２との間には、押圧部材４２を押し出す方向に付勢する渦巻きばね４３が挿入される。
【００３１】
こうした板ばね３７や加圧機構３９といった共通の付勢手段によれば、第１および第２導電板２４ａ、２４ｂ、２６ａ〜２６ｃの増加や第１および第２信号線２８ａ〜２８ｄ、３０ａ〜３０ｄの増加などに拘わらず抜き差しコネクタ１５を構造を簡素化することができる。しかも、こうした付勢手段が用いられれば、十分な接圧を引き起こす弾性力が第１信号線２８ａ〜２８ｄや第２信号線３０ａ〜３０ｄに付与される必要がないことから、第１および第２信号線２８ａ〜２８ｄ、３０ａ〜３０ｄの電気特性を変化させても、付勢手段の働きによって第１信号線２８ａ〜２８ｄおよび第２信号線３０ａ〜３０ｄの間で十分な接圧が確保されることができる。一般に、第１および第２信号線２８ａ〜２８ｄ、３０ａ〜３０ｄの接触抵抗値といった電気特性を変更するには第１および第２信号線２８ａ〜２８ｄ、３０ａ〜３０ｄの厚みや幅を変更しなければならず、こういった厚みや幅の変化が第１信号線２８ａ〜２８ｄや第２信号線３０ａ〜３０ｄの弾性力といった機械特性を変化させてしまう。
【００３２】
さらに、以上のような抜き差しコネクタ１５では、例えば図１２に示されるように、第１信号線２８ａ〜２８ｄの先端に形成される第１接続パッド４５は、第１信号線２８ａ〜２８ｄの延伸方向に直交する配列方向ＤＤ１に対して所定の傾斜角αで交差する基準線４６に沿って配置されてもよい。このとき、第２信号線３０ａ〜３０ｄの先端に形成される第２接続パッド４７は、例えば第１接続パッド４５と同様に、第２信号線３０ａ〜３０ｄの配列方向ＤＤ２に対して前述の傾斜角αで交差する基準線４８に沿って配置されることができる。
【００３３】
こうした配置によれば、雄コネクタ２１および雌コネクタ２２の結合時に第１信号線２８ａ〜２８ｄの延長線上に第２信号線３０ａ〜３０ｄを位置決めさせれば、２つの基準線４６、４８は重なり合い、各第２接続パッド４７は対応の第１接続パッド４５に個別に接触することができる。しかも、図１２から明らかなように、雄コネクタ２１および雌コネクタ２２の結合にあたっては、第１および第２信号線２８ａ〜２８ｄ、３０ａ〜３０ｄの延伸方向に沿って両者２１、２２を抜き差しすることができるだけでなく、図１３から明らかなように、第１および第２信号線２８ａ〜２８ｄ、３０ａ〜３０ｄの配列方向ＤＤ１、ＤＤ２に沿って両者２１、２２を抜き差しすることが可能となる。
【００３４】
第１信号線２８ａ〜２８ｄおよび第２信号線３０ａ〜３０ｄは、このように１直線上に配置されることができるだけでなく、任意の角度で相互に交差してもよい。この場合には、例えば図１４に示されるように、第１信号線２８ａ〜２８ｄの先端に形成される第１接続パッド５１は、前述と同様に、第１信号線２８ａ〜２８ｄの延伸方向に直交する配列方向ＤＤ１に対して所定の傾斜角βで交差する基準線５２に沿って配置されればよい。その一方で、各第１接続パッド５１に個別に接触する第２接続パッド５３は、雄コネクタ２１および雌コネクタ２２の結合時に第１信号線２８ａ〜２８ｄを横切って基準線５２に到達する各第２信号線３０ａ〜３０ｄの先端に形成される。
【００３５】
こうした配置によれば、例えば図１５に示されるように、第１信号線２８ａ〜２８ｄの長さａ、ｂ、ｃと第２信号線３０ａ〜３０ｄの長さｄ、ｅ、ｆとを調節することによって、第１信号線２８ａ〜２８ａと第２信号線３０ａ〜３０ｄとの組み合わせごとに均一な長さａ＋ｄ＝ｂ＋ｅ＝ｃ＋ｆの信号伝送路が簡単に実現されることができる。したがって、信号伝送路の長さの相違に基づくスキューの発生を回避することが可能となる。ただし、この場合には、第１および第２信号線２８ａ〜２８ｄ、３０ａ〜３０ｄの少なくともいずれか一方はフレキシブル絶縁膜２７ａ〜２７ｄ、２９ａ〜２９ｄ上で絶縁層に被覆される。こうした絶縁層の被覆によれば、第１信号線２８ａ〜２８ｄや第２信号線３０ａ〜３０ｄが交差しても両者の間で電気接続が確立されることはない。しかも、このように均一長さの信号伝送路を確立するにあたって、第１および第２信号線２８ａ〜２８ｄ、３０ａ〜３０ｄ同士は必ずしも直角（＝９０゜）に交差する必要はない。
【００３６】
図１６は本発明の他の実施形態に係る抜き差しコネクタ１５を示す。この抜き差しコネクタ１５では、第１導電板２４ａ、２４ｂの表面と第１フレキシブルプリント板１３ａ〜１３ｄすなわち第１フレキシブル絶縁膜２７ａ〜２７ｄとの間に板ばね５５が配置される。この板ばね５５は、雄コネクタ２１および雌コネクタ２２の結合時に各第２信号線３０ａ〜３０ｄに向けて対応する第１信号線２８ａ〜２８ｄを押し付ける付勢力を生成する。この付勢力の働きを通じて、第１および第２信号線２８ａ〜２８ｄ、３０ａ〜３０ｄの間に十分な接圧が確保される。こうした板ばね５５によれば、第１および第２信号線２８ａ〜２８ｄ、３０ａ〜３０ｄの幅や膜厚が増減しても板ばね５５の働きによって常に十分な接圧が確保されることができ、その結果、第１および第２信号線２８ａ〜２８ｄ、３０ａ〜３０ｄの間で十分な接圧を確保しつつ第１および第２信号線２８ａ〜２８ｄ、３０ａ〜３０ｄの接触抵抗値といった電気特性を簡単に変更することが可能となる。
【００３７】
次にこの実施形態に係る雄コネクタ２１の製造方法を簡単に説明する。図１７から明らかなように、まず、例えば厚み０．２ｍｍのリン青銅平板から第１導電板２４ａが打ち抜かれる。第１導電板２４ａの２つの表面には、各々、板ばね５５が接着される。板ばね５５は例えば厚み０．２ｍｍのベリリウム銅平板から形成されればよい。平板の先端が折り曲げられることによって、平板にはばねの付勢力が付与される。この付勢力の大きさは、例えばスリット５６を形成することによって調整される（弱められる）ことができる。
【００３８】
板ばね５５の表面には第１フレキシブルプリント板１３ａ、１３ｂが接着される。第１フレキシブルプリント板１３ａ、１３ｂが接着された第１導電板２４ａは雄コネクタ２１のハウジング２３に埋め込まれる。他方の第１導電板２４ｂは、第１導電板２４ａとの間に平行関係を維持しつつ同様にハウジング２３に埋め込まれる。ただし、１つのハウジング２３に対して３枚以上の第１導電板が埋め込まれてもよい。
【００３９】
ここで、板ばね５５の幅方向両側には１対の接触子５７が形成されてもよい。これらの接触子５７は、１対の第２導電板２６ａ、２６ｂの間に第１導電板２４ａが挿入された際に、対向する第２導電板２６ａ、２６ｂの表面に接触する。板ばね５５と第１導電板２４ａとの間に電気的導通が確立されていれば、この接触子５７の接触によって、第１導電板２４ａと第２導電板２６ａ、２６ｂとの間には電気的導通が確立されることができる。したがって、第１導電板２４ａや第２導電板２６ａ、２６ｂに吸収されたノイズは行き場を失うことなく確実に逃されることができる。その結果、隣接する信号線同士のノイズの乗り移りは一層効果的に回避されることができる。
【００４０】
さらに、第１導電板２４ａの後端には、ＣＰＵボード１０や回路ボード１１に対する雄コネクタ２１の実装時にそれらのボード１０、１１表面に形成されるＧＮＤ配線パターン（図示せず）に接触する接続端子５８が形成されてもよい。こうして雄コネクタ２１からＧＮＤ配線パターンにノイズが逃されると、雄コネクタ２１内で隣接する信号線同士のノイズの乗り移りは一層効果的に回避されることができる。こうした接続端子は、同時に、第２導電板２６ａ〜２６ｃの後端に形成されてもよい。
【００４１】
【発明の効果】
以上のように本発明によれば、伝送速度の高速化や信号線の高密度化に簡単に対応していくことが可能な信号伝送路用コネクタが提供されることができる。
【図面の簡単な説明】
【図１】  信号伝送路で相互に接続されるＣＰＵボードと回路ボードとを示す概観図である。
【図２】  ケーブルで相互に接続されるＣＰＵボードと回路ボードとを概略的に示す側面図である。
【図３】  図１の３−３線に沿った抜き差しコネクタの一部拡大断面図である。
【図４】  図１および図３の４−４線に沿った一部断面図である。
【図５】  図４に対応し、他の実施形態に係る抜き差しコネクタの一部拡大断面図である。
【図６】  図４に対応し、さらに他の実施形態に係る抜き差しコネクタの一部拡大断面図である。
【図７】  一具体例に係る第１導電板の構造を概略的に示す斜視図である。
【図８】  図７に示す第１導電板が組み込まれた雄コネクタと雌コネクタとの結合関係を概略的に示す一部断面図である。
【図９】  他の具体例に係る第１導電板の構造を概略的に示す斜視図である。
【図１０】  一具体例に係る付勢手段の構造を概略的に示す一部断面図である。
【図１１】  他の具体例に係る付勢手段の構造を概略的に示す一部断面図である。
【図１２】  第１および第２信号線の先端に形成される第１および第２接続パッドの配置例を示す平面図である。
【図１３】  雄コネクタおよび雌コネクタの結合方向を示す平面図である。
【図１４】  第１および第２信号線の先端に形成される第１および第２接続パッドの他の配置例を示す平面図である。
【図１５】  雄コネクタおよび雌コネクタの結合関係を示す平面図である。
【図１６】  他の実施形態に係る抜き差しコネクタの構造を概略的に示す一部拡大断面図である。
【図１７】  雄コネクタの構造を概略的に示す分解斜視図である。
【符号の説明】
１５  信号伝送路用コネクタとしての抜き差しコネクタ、２１  第１コネクタとしての雄コネクタ、２２  第２コネクタとしての雌コネクタ、２３  雄コネクタのハウジング、２４ａ，２４ｂ  第１導電板、２６ａ〜２６ｃ  第２導電板、２７ａ〜２７ｄ  第１フレキシブル絶縁膜、２８ａ〜２８ｄ  第１信号線、２９ａ〜２９ｄ  第２フレキシブル絶縁膜、３０ａ〜３０ｄ  第２信号線、３２  導電線、３３  導電壁、３７  付勢手段としての板ばね、３９  付勢手段としての加圧機構、４５  第１接続パッド、４６  基準線、４７  第２接続パッド、５１第１接続パッド、５２  基準線、５３  第２接続パッド、５５  板ばね、ＤＤ１  配列方向、α  傾斜角、β  傾斜角。
【図１】
0003795706.tif 000002
【図２】
0003795706.tif 000003
【図３】
0003795706.tif 000004
【図４】
0003795706.tif 000005
【図５】
0003795706.tif 000006
【図６】
0003795706.tif 000007
【図７】
0003795706.tif 000008
【図８】
0003795706.tif 000009
【図９】
0003795706.tif 000010
【図１０】
0003795706.tif 000011
【図１１】
0003795706.tif 000012
【図１２】
0003795706.tif 000013
【図１３】
0003795706.tif 000014
【図１４】
0003795706.tif 000015
【図１５】
0003795706.tif 000016
【図１６】
0003795706.tif 000017
【図１７】
0003795706.tif 000018